【手続補正書】
【提出日】平成18年1月31日(2006.1.31)
【手続補正１】
【補正対象書類名】特許請求の範囲
【補正対象項目名】全文
【補正方法】変更
【補正の内容】
【特許請求の範囲】
【請求項１】
オフィスパネル仕切りにおいて、
少なくとも２つのほぼ垂直な直立材と前記垂直な直立材を固く相互接続する水平構造部材とを有するパネルフレームであって、第１の側部と反対側の第２の側部とを有し、前記パネルフレームの前記第１の側部に少なくとも４つのアパーチャを画定する、パネルフレームと、
前記仕切りの外面を画定する主平面を有するカバー部材であって、少なくとも４つの突起が延びており、前記４つの突起はそれぞれ共通の突起構成を有し、前記少なくとも４つの突起は、前記少なくとも４つのアパーチャに取り外し可能に挿入可能であり、前記アパーチャへの前記突起の挿入により、前記カバー部材が前記フレームに取り外し可能に固定される、カバー部材と
を備え、
前記アパーチャは、少なくとも２つの垂直方向に離間した水平の行および少なくとも２つの水平方向に離間した垂直の列に配置され、
前記列のうちの第１の列の前記アパーチャは、前記列のうちの他の列に位置付けられる前記アパーチャの水平方向寸法とは異なる水平方向寸法を有し、
前記突起はそれぞれ、前記アパーチャのそれぞれに挿入されると、ある範囲の横方向位置を持つ前記共通の突起構成を有し、前記列のうちの前記第１の列の前記アパーチャにより提供される前記横方向位置の範囲は、前記列のうちの他の列の前記アパーチャにより提供される前記横方向位置の範囲よりも狭く、
前記行のうちの第１の行に位置付けられる前記アパーチャは、前記行のうちの他の行に位置付けられる前記アパーチャの垂直方向寸法とは異なる垂直方向寸法を有し、
前記突起はそれぞれ、前記アパーチャのそれぞれに挿入されると、ある範囲の垂直方向位置を持つ前記共通の突起構成を有し、前記行のうちの第１の行の前記アパーチャにより提供される前記垂直方向位置の範囲は、前記行のうちの他の行の前記アパーチャにより提供される前記垂直方向位置の範囲よりも狭い、オフィスパネル仕切り。
【請求項２】
前記共通の突起構成とは異なる第２の突起構成を有する少なくとも１つの取り付け突起をさらに備え、
前記パネルフレームは、前記パネルフレームの前記第１の面に開口を画定し、前記取り付け突起は、前記カバー部材から延びて前記開口に取り外し可能に挿入可能である、請求項１に記載のオフィスパネル仕切り。
【請求項３】
前記少なくとも４つの突起はそれぞれ、前記突起を前記カバー部材に接続するベースセクションを有し、前記少なくとも４つの突起の前記ベースセクションは、少なくとも２つの異なる構成を有する、請求項１に記載のオフィスパネル仕切り。
【請求項４】
前記少なくとも４つのアパーチャは、第１の空間パターンに配置された第１の組のアパーチャを画定し、
前記パネルフレームは第２の組の少なくとも４つのアパーチャを含み、
前記第２の組のアパーチャは前記第１の空間パターンに配置され、
前記第１および第２の組のアパーチャの前記アパーチャはそれぞれ、前記パターン内に所定の場所を有し、
前記第１および第２の組のアパーチャのうち、前記パターン内に共通の所定の場所を有する前記アパーチャは、ほぼ等しい寸法を有し、
前記第１の組のアパーチャは、前記第２の組のアパーチャから垂直方向に離間している、請求項１に記載のオフィスパネル仕切り。
【請求項５】
前記第２の組のアパーチャに取り外し可能に取り付け可能な第２のカバー部材をさらに備える、請求項４に記載のオフィスパネル仕切り。
【請求項６】
前記パネルフレームは、前記第１の組のアパーチャと前記第２の組アパーチャとの間に位置する垂直方向の高さで前記フレームに取り付けられる再配置可能な水平梁を含む、請求項５に記載のオフィスパネル仕切り。
【請求項７】
前記カバー部材のうちの少なくとも１つは、少なくとも１つの取り付け突起を含み、
前記取り付け突起は、前記共通の突起構成とは異なる第２の突起構成を有し、
前記再配置可能な水平梁は開口を画定し、
前記取り付け突起は、前記カバー部材のうちの前記少なくとも１つから延びて、前記開口に取り外し可能に挿入可能である、請求項６に記載のオフィスパネル仕切り。
【請求項８】
前記カバー部材は、前記第１および第２の組のアパーチャそれぞれを覆う高さを有し、
前記カバー部材は、前記共通の突起構成を有する少なくとも６つの突起を含み、
前記少なくとも６つの突起は、前記第１の組のアパーチャの前記アパーチャそれぞれと、前記第２の組のアパーチャの前記アパーチャのうちの少なくとも２つとに挿入可能であり、
前記カバー部材は、前記第２の組のアパーチャの、狭い範囲の垂直方向位置を有する前記アパーチャの行では、前記パネルフレームに取り付けられない、請求項４に記載のオフィスパネル仕切り。
【請求項９】
床スペースを分割する仕切りパネルにおいて、
一対の水平方向に離間した垂直フレーム部材、および前記垂直フレーム部材間に延びて前記垂直フレーム部材を固く相互接続する一対の垂直方向に離間した水平フレーム部材を有し、ほぼ垂直の対向する側面を有する剛性のあるフレームを形成するフレームと、
前記水平フレーム部材間の選択された垂直方向位置に着脱可能に配置され、前記垂直フレーム部材間に延びる中間水平梁であって、水平行を形成する複数のアパーチャを有する側面を画定する、中間水平梁と、
前記フレームに固定され、前記側面のうちの選択された一方の少なくとも一部を覆うカバーパネルと
を備える、床スペースを分割する仕切りパネル。
【請求項１０】
前記垂直フレーム部材はそれぞれ、複数の垂直方向に離間したコネクタを含み、
前記水平梁は、前記コネクタのうちの選択されたものに接続して、前記水平梁の垂直方向位置を調整する、請求項９に記載の仕切りパネル。
【請求項１１】
前記コネクタはアパーチャを備える、請求項１０に記載の仕切りパネル。
【請求項１２】
前記水平梁は、前記水平梁の両端部に、前記アパーチャに受け入れられて前記水平梁を前記垂直フレーム部材に固定するフックを含む、請求項１１に記載の仕切りパネル。
【請求項１３】
前記水平梁は、前記カバーパネルを固定するための取り付け開口を含み、
前記カバーパネルは、前記取り付け開口に着脱可能に受け入れられて前記カバーパネルを前記フレームに固定するコネクタを含む、請求項９に記載の仕切りパネル。
【請求項１４】
前記カバーパネルは、水平方向に延びる下縁を有する上部カバーパネルを備え、
水平方向に延びる上縁を有する下部カバーパネルであって、前記上縁は前記下縁から離間して、前記中間水平梁の前記アパーチャへのアクセスを提供する水平方向に細長いギャップを画定する、下部カバーパネルを含む、請求項９に記載の仕切りパネル。
【請求項１５】
仕切りパネルにおいて、
ほぼ垂直な対向する側面を画定する剛性のある仕切りフレームであって、水平方向寸法および垂直方向寸法をそれぞれ画定する少なくとも４つのアパーチャを含む、剛性のある仕切りフレームと、
第１の垂直方向寸法および第１の水平方向寸法を有する、前記アパーチャのうちの第１のアパーチャと、
前記第１の垂直方向寸法とほぼ同じ垂直方向寸法と、前記第１の水平方向寸法よりも大きい水平方向寸法とを有する、前記アパーチャのうちの第２のアパーチャと、
前記第１の垂直方向寸法よりも大きい垂直方向寸法と、前記第１の水平方向寸法とほぼ同じ水平方向寸法とを有する、前記アパーチャのうちの第３のアパーチャと、
前記第１の垂直方向寸法よりも大きい垂直方向寸法と、前記第１の水平方向寸法よりも大きい水平方向寸法とを有する、前記アパーチャのうちの第４のアパーチャと、
カバーパネルであって、前記アパーチャのそれぞれに受け入れられて前記仕切りフレームに前記カバーパネルを支持および位置決めするコネクタを有する、カバーパネルと
を備える、仕切りパネル。
【請求項１６】
前記仕切りフレームは、固く相互接続されてほぼ矩形の外周を形成する、一対の垂直側部フレーム部材と一対の水平フレーム部材とを含み、
前記仕切りパネルは、前記垂直側部フレーム部材間に延びて前記垂直側部フレーム部材を相互接続する中間水平梁であって、壁掛け式家具ユニットを支持するための水平方向のコネクタ行を含む、中間水平梁を含む、請求項１５に記載の仕切りパネル。
【請求項１７】
前記水平方向のコネクタ行は前記梁の開口を備える、請求項１６に記載の仕切りパネル。
【請求項１８】
前記第１および第３のアパーチャはＴ字形を有し、前記第２および第４のアパーチャはＵ字形を有し、
前記カバーパネルは、前記アパーチャそれぞれに着脱可能に受け入れられるばねクリップを含む、請求項１５に記載の仕切りパネル。
【請求項１９】
前記仕切りフレームは、前記カバーパネルを支持するためのアパーチャを有する中間水平梁を含み、
前記カバーパネルは、前記梁の前記アパーチャに受け入れられるコネクタを含む、請求項１８に記載の仕切りパネル。
【請求項２０】
前記水平梁は、前記仕切りフレーム内に垂直に再配置されることができる、請求項１９に記載の仕切りパネル。
【請求項２１】
前記水平梁は、壁掛け式家具ユニットを支持するための水平方向のアパーチャ行を有する、請求項２０に記載の仕切りパネル。
【請求項２２】
仕切りパネルにおいて、
一対の水平方向に離間した直立フレーム部材、ならびに前記直立フレーム部材間に延びて前記直立フレーム部材を固く相互接続する垂直方向に離間した上部および下部水平フレーム部材であって、床面に自立して直立位置で当接支持されるようになっており、開放された内部空間を画定する剛性のある仕切りフレームを形成する、直立フレーム部材ならびに上部および下部水平フレーム部材と、
前記直立フレーム部材間の、前記上部水平フレーム部材と前記下部水平フレーム部材との間の場所に延びる一対の並んだ水平梁であって、それぞれが、前記直立フレーム部材に着脱可能に接続される両端を有し、水平方向のアパーチャ行および第１のコネクタを含む、一対の並んだ水平梁と、
前記仕切りフレームに固定されて前記開放された内部空間の少なくとも一部を塞ぐカバーパネルであって、前記第１のコネクタと係合して前記水平梁のうちの選択された一方に前記カバーパネルを固定する第２のコネクタを含む、カバーパネルと
を備える仕切りパネル。
【請求項２３】
前記直立フレーム部材は複数の並んだ開口を含み、
前記水平梁はそれぞれ、前記開口のうちの選択されたものに取り外し可能に受け入れられるフックをその両端に含む、請求項２２に記載の仕切りパネル。
【請求項２４】
仕切りパネルにおいて、
一対の水平方向に離間した直立フレーム部材、ならびに前記直立フレーム部材間に延びて前記直立フレーム部材を固く相互接続する垂直方向に離間した上部および下部水平フレーム部材であって、床面に自立して直立位置で当接支持されるようになっている剛性のある仕切りフレームを形成し、前記直立フレーム部材はそれぞれ、前記上部水平フレーム部材と前記下部水平フレーム部材との間の場所に少なくとも１つの開口を備える側面を有し、前記仕切りフレームは開放された内部空間を画定する、直立フレーム部材、ならびに上部および下部水平フレーム部材と、
前記直立フレーム部材間の、前記上部水平フレーム部材と前記下部水平フレーム部材との間の場所に延びる、一対の並んだ水平梁であって、それぞれが、前記直立フレーム部材の前記開口に受け入れられるフックを両端に有し、第１のコネクタを含む、水平梁と、
前記仕切りフレームに固定されて前記開放された内部空間の少なくとも一部を塞ぐカバーパネルであって、前記第１のコネクタと係合して前記水平梁のうちの選択された一方に前記カバーパネルを固定する第２のコネクタを含む、カバーパネルと
を備える、仕切りパネル。
【請求項２５】
前記水平梁は水平方向のアパーチャ行を含み、
前記仕切りパネルは、壁掛け式家具ユニットであって、前記アパーチャのうちの選択された１つに受け入れられて前記仕切りフレームで前記壁掛け式家具ユニットを支持するコネクタを有する、壁掛け式家具ユニットを備える、請求項２４に記載の仕切りパネル。
【請求項２６】
前記水平梁は、前記開口と係合して前記フックの偶発的な係脱を防止する可撓性タブを、前記フックそれぞれに隣接して含む、請求項２４に記載の仕切りパネル。
【請求項２７】
自立形仕切りシステムにおいて、
複数の剛性のある自立形仕切りフレームを有するスパイン壁であって、前記仕切りフレームはそれぞれ、垂直側部フレーム部材ならびに前記垂直側部フレーム部材間に延びて前記垂直側部フレーム部材を固く相互接続する上部および下部水平フレーム部材を含み、外周を画定し、前記垂直側部フレーム部材および前記下部水平フレーム部材はそれぞれ、前記外周に隣接して延びるスロット行を有し、隣接する仕切りフレームの前記垂直側部フレーム部材は、固く相互接続されて前記スパイン壁を形成し、前記仕切りフレームのうちの少なくとも１つは、水平方向のスロット行を有する中間梁を有し、前記中間梁は、前記上部水平フレーム部材と前記下部水平フレーム部材との間の位置で前記垂直側部フレーム部材に着脱可能に接続される、スパイン壁と、
垂直側縁を含む外周、および前記中間梁の前記水平方向のスロット行のうちの選択されたものと係合する上部ブラケットを含む剛性オフモジュール仕切りフレームであって、下部ブラケットを含み、前記下部ブラケットは、前記下部水平フレーム部材の前記水平方向のスロット行のうちの選択されたものと係合して、前記スパイン壁に沿った選択された水平方向位置で前記オフモジュール仕切りと接続するフックを有する、剛性オフモジュール仕切りフレームと
を備える、自立形仕切りシステム。
【請求項２８】
前記上部および下部ブラケットは、前記スロットと係合して前記ブラケットが偶発的に外れるのを防止するように構成される可撓性の延長部を、前記フックに隣接して含む、請求項２７に記載の自立形仕切りシステム。
【請求項２９】
前記垂直側部フレーム部材は、前記垂直側部フレーム部材に沿って内部にユーティリティラインを垂直方向に配線することができるようになっている、外側に開口したチャネルを含み、
前記上部水平フレーム部材はそれぞれ、前記上部水平フレーム部材に沿って内部にユーティリティラインを水平方向に配線することができるようになっている、上方に開口したチャネルを有する、請求項２７に記載の自立形仕切りシステム。
【請求項３０】
自立形仕切りシステムにおいて、
少なくとも第１および第２の剛性のある自立形仕切りフレームであって、前記仕切りフレームはそれぞれ、側縁を画定する垂直側部フレーム部材、および前記垂直側部フレーム部材間に延びて前記垂直側部フレーム部材を固く相互接続する上部および下部水平フレーム部材を含み、ほぼ四辺形の外周を画定する、少なくとも第１および第２の剛性のある自立形仕切りフレームを備え、
前記仕切りフレームは、前記側縁それぞれに隣接して第１の開口を有する上面を有し、
隣接する前記フレームの第１の開口は、間に第１の距離を画定し、
前記第１および第２の仕切りフレームの前記垂直側部フレーム部材は、前記仕切りフレームの隣接する前記側縁が互いに当接した状態で上部ブラケットにより相互接続され、
前記仕切りフレームそれぞれの少なくとも第１の垂直側部フレーム部材の前記垂直側壁部には開口が開いており、
前記上部ブラケットはそれぞれ、前記第１の距離よりも短い第２の距離だけ離間した一対の第２の開口が開いている板状部材を備え、
前記自立形仕切りシステムは、前記第１および第２の開口に受け入れられるねじ式締結具を含み、
前記ねじ式締結具は、前記ねじ式締結具を締めると前記第１および第２の仕切りフレームの隣接する前記垂直側部フレーム部材が互いにしっかりと当接係合されるように、ほぼ円錐形のヘッドを有する、自立形仕切りシステム。
【請求項３１】
前記側部フレーム部材は、対向する内面および外面を有する垂直側壁部を有し、前記仕切りフレームそれぞれの少なくとも第１の垂直側部フレーム部材の前記垂直側壁部には開口が開いており、
前記自立形仕切りシステムは、前記第１および第２の仕切りフレームの隣接する前記垂直側部フレーム部材を相互接続する下部ブラケットを含み、前記下部ブラケットは、選択された前記垂直側部フレーム部材に固定されるベース部と、前記ベース部から垂直方向に延びる可撓性部と、前記可撓性部から水平方向に延びる舌部とを有し、前記舌部は、前記垂直側壁部の前記開口に受け入れられて前記内面と係合する拡大端部を有し、前記上部ブラケットの前記ねじ式締結具の締め付けにより、前記第１および第２の仕切りフレームを互いに水平方向に整列させ、前記舌部に張力を加えて前記可撓性部を曲げ、それにより前記側縁の下側部分に沿って前記仕切りフレームを互いに接触させる、請求項３０に記載の自立形仕切りシステム。
【請求項３２】
前記上部水平フレーム部材は、上方に開口したチャネルを有し、
前記板状部材は、前記チャネルに受け入れられて前記仕切りフレームを整列させる、請求項３１に記載の自立形仕切りシステム。
【請求項３３】
前記下部ブラケットの前記舌部は、前記開口内に密接に嵌まって前記仕切りフレームを水平方向に整列させる、請求項３２に記載の自立形仕切りシステム。
【請求項３４】
垂直側縁を画定するほぼ四辺形の外周を有する第１および第２の仕切りフレームと、
第１および第２の垂直側面を有する第１のブラケットであって、前記側面はそれぞれ、前記仕切りフレームの選択された前記垂直側縁に接続するようになっており、前記側面はそれぞれ、一対の垂直方向に延びる対向スロットを有する垂直方向に延びるチャネルを有する、第１のブラケットと
を備え、
前記第１および第２の仕切りフレームは、前記仕切りフレームの選択された前記垂直側縁に第２のブラケットを有し、前記第２のブラケットは、前記垂直方向に延びる対向スロット内に摺動可能に受け入れられる対向して延びる部分を有し、それにより前記第１および第２の仕切りフレームを相互接続する、自立形仕切りシステム。
【請求項３５】
前記第１のブラケットは、一対の垂直方向に延びる対向スロットを有する垂直方向に延びるチャネルを含む第３の垂直側面を含み、前記側面は、互いに対して１２０°の角度で配置されて、平面図でＶ字形状またはＹ字形状を有する接合部を形成するように仕切りフレームを接続することを可能にする、請求項３４に記載の自立形仕切りシステム。
【請求項３６】
前記第１のブラケットは、一対の垂直方向に伸びる対向スロットを有する垂直方向に延びるチャネルを含む第３および第４の垂直側面を含み、前記側面は、互いに対して直角に配置されて、平面図でＬ字形状、Ｔ字形状、またはＸ字形状を有する接合部を形成する、請求項３４に記載の自立形仕切りシステム。
【請求項３７】
少なくとも１つの壁掛け式家具ユニットを含み、
前記壁掛け式家具ユニットは、前記アパーチャのうちの選択された１つの中に延びて前記壁掛け式家具ユニットを支持する少なくとも１つのコネクタを有する、請求項９に記載の床スペースを分割する仕切りパネル。
【請求項３８】
前記側面の前記複数のアパーチャは一定間隔で離間している、請求項９に記載の床スペースを分割する仕切りパネル。
【手続補正２】
【補正対象書類名】明細書
【補正対象項目名】００１６
【補正方法】変更
【補正の内容】
【００１６】
図３Ｃをさらに参照すると、垂直フレーム部材８Ａは、垂直方向に延びる外側ウェブ２２８、縁ウェブ部２２９、およびオフセット縁ウェブ部２３０を含むほぼ管状の断面形状を有する。内側に延びる垂直ウェブ部２３３が互いに向かって延び、シーム(seam)２３４において密接に嵌合する。垂直方向に延びるＶ字溝２３１が、垂直方向に延びるウェブ部２２８と２３３との間の交点に形成される。組み立てられると、水平フレーム部材９および１０の傾斜フランジ２３２は垂直方向に延びるＶ字溝２３１に受け入れられる。図３Ｄをさらに参照すると、溶接材料のビード(bead)２３５が、垂直フレーム部材８Ａを水平フレーム部材９および１０に固く相互接続する。Ｖ字溝２３１および傾斜フランジ２３２は、平坦な表面をもたらし、溶接材料２３５が外側に突出して見苦しい外観を生じさせること、および／またはカバーパネル７または他の構成要素の搭載の邪魔になることがないようにする。好ましくは、フレーム部材８Ａ、９、および１０はそれぞれ、ロール成形されることにより、費用の面で効率的ではあるが剛性があり耐久性のある構造を提供する。図３Ｆをさらに参照すると、コーナーブラケット部材１９３は、垂直直立材８Ａ内に受け入れられることができ、垂直直立材８Ａおよび上部水平フレーム部材９に溶接されて、フレーム２の上角部を補強する。コーナーブラケット１９３は、図４４に関連して以下でより詳細に説明する。
【手続補正３】
【補正対象書類名】明細書
【補正対象項目名】００１９
【補正方法】変更
【補正の内容】
【００１９】
構造中間梁１１Ｂ（図１５〜図１７）は、フック３８Ｂを形成するテーパ状スロット３７Ｂを有するタブ３６Ｂを含み、フック３８Ｂは、中間梁１１Ａのフック３８に関連して上述したのとほぼ同じ方法で垂直フレーム部材８の開口３９に受け入れられる。中間梁１１Ｂは、垂直ウェブ４６および上方に延びるフランジ４９で終わる上部ウェブ４７を有する第１の部材４５を含む。同様に、第１の部材４５の下部ウェブ４８は下方に延びるフランジ５０で終わる。第１の内部補強部材５１は、水平ウェブ５５により相互接続される第１の垂直ウェブ５３および第２の垂直ウェブ５４を含む。内側フランジ５６は、第２の垂直ウェブ５４から内側に延びる。第２の内部補強部材５２は、第１内部補強部材５１の鏡像である。背板５７は、溶接または他の適当な処理（arrangement）により第１および第２の内部補強部材５１および５２に固定され、第１の部材４５も、第１および第２の内部補強部材５１および５２に同様に固定される。第１の部材４５、第１および第２の補強部材５１および５２、ならびに背板５７の組み合わせは、合わせて実質的な構造強度を与え、家具ユニットが、壁掛け式家具ユニットのフック（図示せず）を水平スロット列１５に挿入することにより中間梁１１Ｂで支持されるようになっている。水平スロット列に搭載されるこのような壁掛け式家具ユニットの一例は、Steelcase, Inc.（Grand Rapids, Michigan）が製造しているＰａｔｈｗａｙｓ（登録商標）Ｓｅｇｍｅｎｔ（登録商標）収納庫（storage bin）である。構造梁１１Ｂは、選択された高さで仕切りフレーム２に選択的に配置することができ、収納ユニット６等の壁掛け式家具ユニットは、水平スロット列１５に沿った所望の場所に水平方向に配置することができる。したがって、壁掛け式家具ユニットは、所望の場所に配置することができ、かつ垂直方向および水平方向の両方に調整することができる。
【手続補正４】
【補正対象書類名】明細書
【補正対象項目名】００２１
【補正方法】変更
【補正の内容】
【００２１】
図１７Ａおよび図１７Ｂをさらに参照すると、梁１１Ｂは、フック３８が開口３９から偶発的に係脱することを防止するばね鋼安全キャッチ（safety catch）８１を含んでもよい。安全キャッチ８１は、構造梁１１Ｂに８２においてスポット溶接されてよく、端部８３が、矢印「Ａ」（図１７Ａ）の方向に外側に曲がることができるようになっている。フック３８を開口３９に挿入する際、タブ８４の端部が垂直フレーム部材８の外面８７と接触し、矢印Ａの方向に曲がる。フック３８の挿入後、梁１１Ｂは下方にずれてフック３８と係合する。次に、キャッチ８１の端部８３は梁１１Ｂと平行な位置に戻り、タブ８４が開口３９に嵌まり、梁１１Ｂが偶発的に上方にずれてフック３８が係脱しないようになる。フック３８を係脱させるには、キャッチ８１の小さいストレートタブ８８を掴み、端部８３を外側に曲げてタブ８４を係脱させ、梁１１Ｂが上方にずれてフック３８が開口３９から外れるようにすることができる。必要であれば、軽荷重用中間梁１１Ａもまた安全キャッチ８１を含んでよい。
【手続補正５】
【補正対象書類名】明細書
【補正対象項目名】００２３
【補正方法】変更
【補正の内容】
【００２３】
図１８Ｂをさらに参照すると、カバーパネル７は、複数の側部クリップ６０と複数の上部および下部クリップ６１とを含む。側部クリップ６０は、垂直フレーム部材８Ａおよび８Ｂの開口２５、２６、２７、および２８（図７〜図１０）に受け入れられる。以下でより詳細に説明するように、クリップ６０（図２４〜図２６）は一対の外側Ｖ字形フィンガ７３を含み、フィンガ７３は、比較的剛性があり、クリップがＴ字形開口２５（図７）および２６（図８）と係合するとカバーパネル７の水平方向移動を防止する。クリップ６０は、Ｕ字形開口２７（図９）または２８（図１０）に装着されるとクリップ６０のいくらかの水平方向移動を可能にする、比較的可撓性を有する中心「フィンガ」７５も含む。重要な点は、Ｔ字形開口２５および２６はフィンガ７３と係合するが、フィンガ７５のためのクリアランスを提供することである。これとは反対に、Ｕ字形開口２７および２８は、フィンガ７３のためのクリアランスを提供することにより水平方向の浮動を可能にしつつ、可撓性の中央フィンガ７５とのみ係合するように構成される。したがって、１つのクリップ構造６０を、Ｔ字形開口２５および２６と係合するとカバーパネル７の位置を水平方向にロックするために利用することができるが、Ｕ字形開口２７および２８と係合すると水平方向の浮動を可能にするためにも利用することができる。全高カバーパネル７を利用する場合、上部および下部クリップ６１は上部フレーム部材９の開口２３および下部水平フレーム部材１０の開口２４と係合する。あるいは、分割カバーパネル７を中間水平梁１１Ａまたは１１Ｂとともに利用する場合、上部および下部クリップ６１は中間水平梁１１Ａまたは１１Ｂの開口２３および２４と係合する。図１９〜図２２をさらに参照すると、各上部および下部クリップ６１は、カバーパネル７の第１の開口６４に受け入れられる第１のタブ６２を含む。同様に、クリップ６１の第２のタブ６３は、カバーパネル７の第２の開口６５に受け入れられる。各上部および下部クリップ６１は、タブ６７を有する可撓性リテーナ６６を含む。各上部および下部クリップ６１を開口６４および６５に装着する際、タブ６７は最初にカバーパネル７と接触し、開口６４および６５へのタブ６２および６３の挿入を可能にするように曲がる。タブ６２および６３が完全に係合した後、可撓性リテーナ６６は図１９〜図２２に示す位置に戻り、タブ６７は開口６４の縁と係合して、クリップ６１が偶発的に外れるのを防止する。可撓性のＶ字形部６８は仕切りフレーム２の開口２３または２４に受け入れられ、小さい保持タブ６９がフレーム部材の内側壁と係合することにより、カバーパネル７を保持する。各上部および下部クリップ６１のベース部７０は、カバーパネル７に対して静止しており、可撓性のＶ字形部６８が、仕切りフレーム２に装着されると矢印「Ａ」（図１９）の方向にクリップ６１およびカバーパネル７を付勢する力を発生するようになっている。少なくとも１つの下部クリップ６１および少なくとも１つの上部クリップ６１が各カバーパネル７において利用され、クリップ６１は互いに対して１８０°回転した状態であるため、上部および下部クリップ６１の付勢力が逆方向に垂直���働く。
【手続補正６】
【補正対象書類名】明細書
【補正対象項目名】００３８
【補正方法】変更
【補正の内容】
【００３８】
図１を参照すると、仕切りシステム１はオフモジュール(off-module)パネル１００を含んでもよく、オフモジュールパネルは、システムの他の仕切りパネルと全く同じ構成を有する仕切りフレーム２を含む（例えば図２〜図５を参照）。上部ブラケット１０１および下部ブラケット１０２は、パネル１００に接続され、パネル１００を仕切りパネル２の上部水平スロット列１２および下部水平スロット列１３と相互接続し、仕切りフレーム２にオフモジュールパネル１００が接続される。オフモジュールパネルが接続される仕切りの直列の（in-line）列は、「スパイン壁（spine wall）」として一般に既知である。図２７をさらに参照すると、上部コネクタブラケット１０１は開口１０３を含み、開口１０３は、フレーム直立材８の開口１０４（図６も参照）にブラケット１０１を固定するための従来の締結具等を受け入れる。ブラケット１０１は、上部水平スロット列１２のうちの選択された１つに受け入れられる一対の水平方向に向いたフック１０５を有する水平延長部１０６を含む。オフモジュールパネル１００の高さが、接続されている隣接するパネルフレーム２よりも低い場合、フック１０５は構造中間梁１１Ｂの水平スロット列１５に受け入れられてよい。可撓性のキャッチ１０７は、ばね鋼でできており、わずかに下方に延びる。装着の際、フック１０５をまずスロット１２に挿入し、次に水平方向にずらしてフック１０５を係合させる。フック１０５の挿入の際、キャッチ１０７はフレーム部材９と接触すると下方に曲がり、次に、ブラケット１０１がずれてフック１０５と完全に係合すると跳ね返ってスロット１２に戻る。キャッチ１０７はこのようにしてフック１０５の偶発的な係脱を防止する。ブラケット１０１を係脱させるには、キャッチ１０７を曲げてスロット１２から外し、ブラケット１０１を水平方向にずらしてフック１０１を係脱させる。
【手続補正７】
【補正対象書類名】明細書
【補正対象項目名】００４０
【補正方法】変更
【補正の内容】
【００４０】
図２９をさらに参照すると、一対の隣接するパネルフレーム２を相互接続してインライン(in-line)接合部１１５を形成するようにインラインコネクタブラケット１１４が設けられる。ブラケット１１４は、ベースウェブ１１６および一対の立ち上がりフランジ１１７を有し、ブラケット１１４がシェル状のＵ字形断面（shell U-shaped cross section）を有するようになっている。図３０をさらに参照すると、フレーム２の一対のねじ付き開口１１８が、従来の円錐形状のヘッド１２１をそれぞれ有する締結具１２０Ａおよび１２０Ｂを螺合可能に受け入れる。締結具１２０Ａおよび１２０Ｂは、ブラケット１１４の逃げ開口（clearance opening）１１９Ａおよび１１９Ｂを通って延びる。組み立ての際、まず、インラインブラケット１１４をフレーム２の上面１２２と密接するように引き付けて、締結具１２０Ａを締める。次に、締結具１２０Ｂをねじ付き開口１１８Ｂに螺合可能に係合させる。隣接するフレーム２の対が互いに当接している場合、開口１１９Ａと１１９Ｂとの間の距離は開口１１８Ａと１１８Ｂとの間の間隔よりも幾分短い。したがって、ねじ式締結具１２０Ｂのヘッド１２１の円錐外面１２３は、逃げ孔１１９Ｂの縁１２４と接触する。ねじ式締結具１２０Ｂをさらに締めると、隣接するフレーム２はそれにより引き付けられて、すなわち押し付けられて互いに密接する。さらに、ブラケット１１４の立ち上がりフランジ１１７は、隣接するフレーム２の上縁に沿ったチャネル２９の幅と同じかまたはそれよりも小さい幅を有するため、ブラケット１１４は、隣接するフレーム２を同一平面に整列させる役割も果たす。
【手続補正８】
【補正対象書類名】明細書
【補正対象項目名】００５１
【補正方法】変更
【補正の内容】
【００５１】
図４４をさらに参照すると、コーナーブラケット部材１９３は垂直部１９４を含み、垂直部１９４はベースフレーム２の垂直側部フレーム部材８の開放上端１９５に受け入れられる。ブラケット１９３は、組み立てられるとチャネル２９に嵌まる板状水平部１９６も含む。ねじ式締結具１９８が楕円開口１９７に受け入れられて、ブラケット１９３をフレーム２に固定する。あるいは、コーナーブラケット１９３は、ベースフレーム２に溶接されるか、または他の方法で適当に固定されてもよい。ブラケット１９３は、水平部１９６を通る矩形開口１９９を含み、矩形開口１９９はバヨネットブラケット１９２の細長い下端２００（図４３も参照）を受け入れる。図４５をさらに参照すると、コーナーブラケット１９３の垂直部１９４は、ベースフレーム２の垂直フレーム部材８の内側壁２０１と２０２との間に密接に嵌まる。バヨネットブラケット１９２の細長い下端２００は、コーナーブラケット１９３の垂直部１９４の細長いスロット２０３（図４４）内に密接に嵌まる。スロット２０３により、バヨネットブラケット１９２が垂直位置に確実に維持される。コーナーブラケット１９３の下部側壁２０５の開口２０４（図４５）は、フレーム２および１９０の平面の回転に対して垂直な向きにバヨネットブラケット１９２を維持する。
【手続補正９】
【補正対象書類名】明細書
【補正対象項目名】００５５
【補正方法】変更
【補正の内容】
【００５５】
【図１Ａ】本発明を具現する仕切りパネルシステムの斜視図である。
【図１Ｂ】図１Ａの仕切りパネルシステムの部分分解斜視図である。
【図２】仕切りフレームの底面図である。
【図３】図２のパネルフレームの正面図である。
【図３Ａ】図２のＩＩＩＡ−ＩＩＩＡ線に沿った断面図である。
【図３Ｂ】図２のＩＩＩＢ−ＩＩＩＢ線に沿った断面図である。
【図３Ｃ】図４の仕切りフレームの部分断片（partially fragmentary）断面図である。
【図３Ｄ】図３ＣのＩＩＩＤ−ＩＩＩＤ線に沿った部分断片図である。
【図３Ｆ】図３ＤのＩＩＩＦ−ＩＩＩＦ線に沿った部分断片断面図である。
【図４】図３のパネルフレームの上面図である。
【図５】図３のパネルフレームの右側図である。
【図６】垂直フレーム部材の部分斜視図である。
【図７】搭載クリップを受け入れてカバーパネルを支持するアパーチャの拡大図である。
【図７Ａ】図７のアパーチャの代替の実施形態の拡大図である。
【図８】搭載クリップを受け入れてカバーパネルを支持するアパーチャの拡大図である。
【図９】搭載クリップを受け入れてカバーパネルを支持するアパーチャの拡大図である。
【図９Ａ】図９のアパーチャの代替の実施形態の拡大図である。
【図１０】搭載クリップを受け入れてカバーパネルを支持するアパーチャの拡大図である。
【図１１】中間水平梁、カバーパネル、および壁掛け式家具ユニットを示す、本発明を具現する仕切りシステムの平面図である。
【図１２】軽荷重用中間水平梁の部分上面図である。
【図１３】図１２の軽荷重用中間水平梁の部分正面図である。
【図１４】ＸＩＶ−ＸＩＶ線に沿った図１３の軽荷重用中間水平梁の端面図である。
【図１５】構造中間水平梁の部分上面図である。
【図１６】図１５の構造中間水平梁の部分正面図である。
【図１７】ＸＶＩＩ−ＸＶＩＩ線に沿った図１６の構造中間水平梁の断面図である。
【図１７Ａ】安全キャッチを有する中間梁の端部の部分分解斜視図である。
【図１７Ｂ】安全キャッチを有する中間梁の端部の部分分解斜視図である。
【図１７Ｃ】図１７の構造中間水平梁の代替の実施形態の断面図である。
【図１８Ａ】カバーパネルを搭載する公差設計を示す、図３の仕切りフレームの概略側面図である。
【図１８Ｂ】カバーパネルへのカバーパネル保持クリップの搭載を示す部分分解斜視図である。
【図１９】図１８の上部／底部カバーパネル搭載クリップの正面図である。
【図２０】図１９の上部／底部カバーパネル搭載クリップの上面図である。
【図２１】図１９の上部／底部カバーパネル搭載クリップの右側図である。
【図２２】図１９の上部／底部カバーパネル搭載クリップの斜視図である。
【図２３】カバーパネルの左右垂直側縁に沿って利用されるカバーパネルクリップの正面図である。
【図２３Ａ】図２３〜図２６に示すカバーパネルクリップの代替の実施形態の上面図である。
【図２３Ｂ】図２３Ａのクリップの側面図である。
【図２３Ｃ】図２３Ａのクリップの正面図である。
【図２３Ｄ】図２３ＣのＸＸＩＩＩＤ−ＸＸＩＩＩＤ線に沿った断面図である。
【図２４】図２３のカバーパネル搭載クリップの上面図である。
【図２５】図２３のカバーパネル搭載クリップの右側面図である。
【図２６】図２３のカバーパネル搭載クリップの斜視図である。
【図２６Ａ】垂直フレーム部材の側壁の開口を通って延びるカバーパネル搭載クリップを示す部分斜視図である。
【図２６Ｂ】垂直フレーム部材の側壁の開口を通って延びるカバーパネル搭載クリップを示す部分斜視図である。
【図２７】オフモジュールパネルを搭載するための上部コネクタブラケットの斜視図である。
【図２８】オフモジュールパネルを搭載するための下部ブラケットである。
【図２９】インラインコネクタの部分斜視図である。
【図３０】図２９のＸＸＸ−ＸＸＸ線に沿ったインラインコネクタの断面図である。
【図３１】下部インラインコネクタブラケットの斜視図である。
【図３２】仕切りパネルとの図３１のブラケットの係合を示す、一対の隣接する仕切りパネルの一部の断面図である。
【図３３】一対の並んだ仕切りフレームの組み立てを示す側面図である。
【図３４】Ｌ字接合部を形成する一対の仕切りパネルの概略平面図である。
【図３５】相互接続されてＴ字接合部を形成する３つの隣接する仕切りパネルの概略平面図である。
【図３６】相互接続されてＸ字接合部を形成する４つの隣接するパネルの概略平面図である。
【図３７】相互接続されてパネル間に１２０°の角度を有するＶ字接合部を形成する一対のパネルの概略平面図である。
【図３８】互いに対して１２０°の角度で相互接続されてＹ字接合部を形成する３つの隣接するパネルの概略平面図である。
【図３９】垂直フレーム部材の一部と、パネルを相互接続して図３４〜図３８のＬ字接合部、Ｔ字接合部、Ｘ字接合部、Ｖ字接合部、Ｙ字接合部を形成するブラケットとの、部分断片斜視図である。
【図４０】パネルを相互接続してＬ、Ｔ、Ｘ字平面形状を形成するために利用することができるブラケットアセンブリを示す斜視図である。
【図４０Ａ】パネルを相互接続してＬ、Ｔ、Ｘ字平面形状を形成するために利用することができるブラケットアセンブリを示す斜視図である。
【図４０Ｂ】パネルを相互接続してＬ、Ｔ、Ｘ字平面形状を形成するために利用することができるブラケットアセンブリを示す斜視図である。
【図４１】図３７および図３８のＶ字平面形状およびＹ字平面形状を形成するために利用することができるブラケットの斜視図である。
【図４２】ベースフレームおよびスタッカフレームを含む仕切りアセンブリの分解側面図である。
【図４３】スタッカフレームをベースフレームに接続する図４２のバヨネットの正面図である。
【図４４】ベースフレーム、スタッカフレーム、およびバヨネットの部分分解斜視図である。
【図４５】スタッカフレーム、ベースフレーム、およびバヨネットの部分断面図である。
【図４６】図４５のＸＬＶＩ−ＸＬＶＩ線に沿った断面図である。